(57)【要約】【課題】  施工時間を短縮することができるとともに、容易に施工することができる採光装置を提供する。【解決手段】  採光手段８は、導光手段１０の一部を覆うためのボックス状のカバー部材１２２を有し、カバー部材１２２には、導光手段１０を挿通するための挿通用開口部１２４が設けられ、カバー部材１２２の挿通用開口部１２４の周縁部には結露防止用弾性部材５６Ｂの外周部が取り付けられ、結露防止用弾性部材５６Ｂは、その内周部が挿通用開口部１２４の内側に幾分突出された状態で導光手段１０を挿通用開口部１２４に挿通することによって内周部が下方に湾曲されて導光手段１０の外周面を弾性的に押圧する。【選択図】  図１０
2014222678.tif 000002
【特許請求の範囲】
【請求項１】
建物の屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、を備え、
前記採光手段は、前記導光手段の一部を覆うためのボックス状のカバー部材を有し、前記カバー部材は前記屋根に挿通されて前記カバー部材の下面が屋内に臨み、
前記カバー部材には、前記導光手段を挿通するための挿通用開口部が設けられ、前記カバー部材の前記挿通用開口部の周縁部には結露防止用弾性部材の外周部が取り付けられ、
前記結露防止用弾性部材は、その内周部が前記挿通用開口部の内側に幾分突出された状態で前記導光手段を前記挿通用開口部に挿通することによって前記内周部が下方に湾曲されて前記導光手段の外周面を弾性的に押圧することを特徴とする採光装置。
【請求項２】
前記照射手段は前記導光手段の一端部に装着され、前記導光手段は一端部に前記照射手段が装着された状態で前記挿通用開口部に挿通されることを特徴とする請求項１に記載の採光装置。
【請求項３】
前記採光手段は更にベース部を備え、前記ベース部には上方に延びる筒状部が設けられ、前記導光手段の他端部には径方向外方に延びるリング状部材が取り付けられ、
前記導光手段は、前記筒状部及び前記挿通用開口部を通して挿入され、前記リング状部材が前記筒状部の開口部に装着されることを特徴とする請求項１又は２に記載の採光装置。
【請求項４】
建物の屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、を備え、
前記採光手段は、前記屋根に取り付けられるベース部を備え、前記ベース部には前記導光手段を挿通するための挿通用開口部が設けられ、前記ベース部の前記挿通用開口部の周縁部には結露防止用弾性部材の外周部が取り付けられ、
前記結露防止用弾性部材は、その内周部が前記挿通用開口部の内側に幾分突出された状態で前記導光手段を前記挿通用開口部に挿通することによって前記内周部が下方に湾曲されて前記導光手段の外周面を弾性的に押圧するように構成され、
前記照射手段は前記導光手段の一端部に装着され、前記導光手段は一端部に前記照射手段が装着された状態で前記挿通用開口部に挿通されることを特徴とする採光装置。
【請求項５】
建物の屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、固定部材と、を備え、
前記採光手段は、前記屋根に取り付けられるベース部を有し、前記ベース部の両側端部には、鉛直下方乃至斜め下方に延びるスカート部が設けられ、前記スカート部の先端部には雨返し部が設けられ、
前記固定部材の一端部には爪部が設けられ、前記固定部材の他端部は、前記ベース部と前記屋根との間に支持され、
前記固定部材は、前記爪部が前記スカート部の前記雨返し部に係止することで、前記スカート部を固定し、
前記固定部材により前記スカート部を固定する際には、前記スカート部を内側に屈曲させて、前記雨返し部を前記爪部に係止させることを特徴とする採光装置。
【請求項６】
前記ベース部の上面には上方に幾分突出した突出部が設けられ、前記ベース部は、前記突出部に挿通された釘又はネジによって前記屋根に取り付けられることを特徴とする請求項３〜５のいずれかに記載の採光装置。
【発明の詳細な説明】
【技術分野】
【０００１】
本発明は、太陽からの光を屋内へ導入して屋内を照明するための採光装置に関する。
【背景技術】
【０００２】
太陽からの光を屋内へ導入して屋内を照明するための採光装置が実用に供されている（例えば、特許文献１参照）。この採光装置は、建物の屋根に設けられて太陽からの光を導入するための採光手段と、この採光手段からの光をその内面で反射させながら所定方向へ導くための筒状の導光手段と、導光手段により導かれた光を屋内に照射するための照射手段と、を備えている。採光手段はドーム部材及び取付部材を備えており、取付部材は、屋根に取り付けられるベース部と、ベース部から上方に延びてドーム部材を支持するための筒状部と、を有している。また、導光手段の一端部は取付部材の筒状部に連結され、その他端部は照射手段に連結される。
【０００３】
近年では、省エネルギー化及び環境問題の観点から、例えば工場や倉庫、店舗などの建物に採光装置を施工するケースが増加している。上述した建物には複数の折板屋根材がハゼ継ぎされた折板屋根が敷設されており、このような建物への採光装置の施工は次のようにして行われる。まず、例えばコアドリルやホールソーなどを用いて折板屋根に貫通孔を穿設する。その後、開口部が設けられたプレート部材（例えばコンパネや合板など）を折板屋根のハゼ継ぎ部に載置し、プレート部材の開口部と折板屋根の貫通孔とを合わせる。次いで、ルーフィングをプレート部材の上面に敷設した後に、取付部材のベース部をルーフィングの上面に載置して筒状部とプレート部材の開口部とを合わせ、釘などを用いてベース部をプレート部材とともに折板屋根に固定する。その後、ベース部の上流側端部及び下流側端部にそれぞれ、薄板状の金属プレートを重ね合わせるようにして敷設する。更にその後、照射手段が取り付けられた導光手段を筒状部より建物の内部に挿入し、導光手段の一端部を筒状部に連結するとともに、ドーム部材を筒状部に装着する。
【先行技術文献】
【特許文献】
【０００４】
【特許文献１】特開２００７−３０５５０４号公報
【発明の概要】
【発明が解決しようとする課題】
【０００５】
しかしながら、上述した従来の採光装置では、次のような問題がある。取付部材を折板屋根に取り付ける際には、プレート部材の開口部と折板屋根の貫通孔とが合わさるようにプレート部材の位置合わせを行うとともに、取付部材の筒状部とプレート部材の開口部とが合わさるように取付部材の位置合わせを行わなければならない。このような位置合わせ作業は煩雑であり、そのため、施工時間の短縮化の妨げになるとともに、容易に施工を行うことができない。
【０００６】
本発明の目的は、施工時間を短縮することができるとともに、容易に施工することができる採光装置を提供することである。
【課題を解決するための手段】
【０００７】
本発明の請求項１に記載の採光装置では、建物の屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、を備え、前記採光手段は、前記導光手段の一部を覆うためのボックス状のカバー部材を有し、前記カバー部材は前記屋根に挿通されて前記カバー部材の下面が屋内に臨み、前記カバー部材には、前記導光手段を挿通するための挿通用開口部が設けられ、前記カバー部材の前記挿通用開口部の周縁部には結露防止用弾性部材の外周部が取り付けられ、  前記結露防止用弾性部材は、その内周部が前記挿通用開口部の内側に幾分突出された状態で前記導光手段を前記挿通用開口部に挿通することによって前記内周部が下方に湾曲されて前記導光手段の外周面を弾性的に押圧することを特徴とする。
【０００８】
また、本発明の請求項２に記載の採光装置では、前記照射手段は前記導光手段の一端部に装着され、前記導光手段は一端部に前記照射手段が装着された状態で前記挿通用開口部に挿通されることを特徴とする。
【０００９】
また、本発明の請求項３に記載の採光装置では、前記採光手段は更にベース部を備え、前記ベース部には上方に延びる筒状部が設けられ、前記導光手段の他端部には径方向外方に延びるリング状部材が取り付けられ、前記導光手段は、前記筒状部及び前記挿通用開口部を通して挿入され、前記リング状部材が前記筒状部の開口部に装着されることを特徴とする。
【００１０】
また、本発明の請求項４に記載の採光装置は、建物の屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、を備え、前記採光手段は、前記屋根に取り付けられるベース部を備え、前記ベース部には前記導光手段を挿通するための挿通用開口部が設けられ、前記ベース部の前記挿通用開口部の周縁部には結露防止用弾性部材の外周部が取り付けられ、前記結露防止用弾性部材は、その内周部が前記挿通用開口部の内側に幾分突出された状態で前記導光手段を前記挿通用開口部に挿通することによって前記内周部が下方に湾曲されて前記導光手段の外周面を弾性的に押圧するように構成され、前記照射手段は前記導光手段の一端部に装着され、前記導光手段は一端部に前記照射手段が装着された状態で前記挿通用開口部に挿通されることを特徴とする。
【００１１】
また、本発明の請求項５に記載の採光装置では、建物の屋根に設けられて太陽からの光を導入するための採光手段と、前記採光手段からの光をその内面で反射させながら所定方向へ導くための筒状の導光手段と、前記導光手段により導かれた光を屋内に照射するための照射手段と、固定部材と、を備え、
前記採光手段は、前記屋根に取り付けられるベース部を有し、前記ベース部の両側端部には、鉛直下方乃至斜め下方に延びるスカート部が設けられ、前記スカート部の先端部には雨返し部が設けられ、前記固定部材の一端部には爪部が設けられ、前記固定部材の他端部は、前記ベース部と前記屋根との間に支持され、前記固定部材は、前記爪部が前記スカート部の前記雨返し部に係止することで、前記スカート部を固定し、前記固定部材により前記スカート部を固定する際には、前記スカート部を内側に屈曲させて、前記雨返し部を前記爪部に係止させることを特徴とする。
【００１２】
また、本発明の請求項６に記載の採光装置では、前記ベース部の上面には上方に幾分突出した突出部が設けられ、前記ベース部は、前記突出部に挿通された釘又はネジによって前記屋根に取り付けられることを特徴とする。
【発明の効果】
【００１３】
本発明の採光装置によれば、カバー部材の挿通用開口部の周縁部と導光手段との間をシールするための結露防止用弾性部材が設けられているので、屋内の暖かい空気が導光手段とカバー部材との間に流入するのを防止することができ、結露の発生等を防止することができる。また、採光装置の施工時において導光手段をカバー部材の挿通用開口部に挿通すると、結露防止用弾性部材の内周部は、導光手段によって湾曲状に弾性変形されることにより導光手段の外周面を弾性的に押圧するようになる。これにより、導光手段の挿通作業とシール作業とを同時に行うことができ、作業効率を高めることができる。
【００１４】
また、本発明の採光装置によれば、挿通用開口部の周縁部と導光手段との間をシールするための結露防止用弾性部材が設けられているので、結露の発生等を防止することができる。また、採光装置の施工時において導光手段を挿通用開口部に挿通すると、結露防止用弾性部材の内周部は、導光手段によって湾曲状に弾性変形されることにより導光手段の外周面を弾性的に押圧するようになる。これにより、導光手段の挿通作業とシール作業とを同時に行うことができ、作業効率を高めることができる。
【００１５】
また、スカート部が固定部材を介して爪部に固定されるので、例えば強風による風圧でスカート部がばたつくのを防止することができる。
【図面の簡単な説明】
【００１６】
【図１】本発明の第１の実施形態による採光装置を示す分解斜視図である。
【図２】図１の取付部材を示す分解斜視図である。
【図３】図１の取付部材を折板屋根に取り付ける前の状態を示す斜視図である。
【図４】図１の採光装置を折板屋根に取り付けた状態を示す斜視図である。
【図５】図４中のＡ−Ａ線による採光装置の断面図である。
【図６】ハゼ継ぎ部が第１の配置間隔で配置されている場合における、図４中のＢ−Ｂ線による採光装置の断面図である。
【図７】ハゼ継ぎ部が第２の配置間隔で配置されている場合における、図４中のＢ−Ｂ線による採光装置の断面図である。
【図８】本発明の第２の実施形態による採光装置を示す断面図である。
【図９】本発明の第３の実施形態による採光装置を示す断面図である。
【図１０】図９のカバー部材を取付部材から取り外した状態を示す分解斜視図である。
【図１１】図９の採光装置を屋内側より見た状態を示す斜視図である。
【発明を実施するための形態】
【００１７】
以下、添付図面を参照して、本発明に従う採光装置の各種実施形態について説明する。
［第１の実施形態］
まず、図１〜図７を参照して、第１の実施形態の採光装置について説明する。図１は、本発明の第１の実施形態による採光装置を示す分解斜視図であり、図２は、図１の取付部材を示す分解斜視図であり、図３は、図１の取付部材を折板屋根に取り付ける前の状態を示す斜視図であり、図４は、図１の採光装置を折板屋根に取り付けた状態を示す斜視図であり、図５は、図４中のＡ−Ａ線による採光装置の断面図であり、図６は、ハゼ継ぎ部が第１の配置間隔で配置されている場合における、図４中のＢ−Ｂ線による採光装置の断面図であり、図７は、ハゼ継ぎ部が第２の配置間隔で配置されている場合における、図４中のＢ−Ｂ線による採光装置の断面図である。
【００１８】
図１〜図７を参照して、図示の採光装置２は、建物４の屋根６に設けられて太陽からの光を導入するための採光手段８と、採光手段８からの光をその内面で反射させながら所定方向に導くための筒状の導光手段１０と、導光手段１０により導かれた光を建物４の内部に照射するための照射手段１２と、を備えている。
【００１９】
採光手段８は、ドーム部材１４及び取付部材１６を備えている。ドーム部材１４は略半球面状に構成され、例えば透明のアクリルやポリカーボネートなどの合成樹脂又はガラスなどから形成されている。ドーム部材１４の開口部には、径方向外方に幾分拡大された段差部１８が設けられている。
【００２０】
取付部材１６はベース部２０を備え、このベース部２０は、相互に対向して配設された上ベースプレート２２及び下ベースプレート２４と、これら上ベースプレート２２及び下ベースプレート２４の間に介在された複数の支持部材２６と、を有している（図２参照）。上ベースプレート２２及び下ベースプレート２４はそれぞれ、例えばガルバニウムやスチールなどの金属から形成されており、それらの厚みは、例えば約０．６〜０．７ｍｍに構成されている。
【００２１】
上ベースプレート２２は平板状に構成され、その中央部には、上方に延びる円筒状の筒状部２８が設けられている。筒状部２８の外周面には、その全周に渡って結露防止用テープ部材３０が取り付けられており、この結露防止用テープ部材３０の表面には複数の毛状体（図示せず）が密に植設されている。上ベースプレート２２の一端部（上流側端部）には、断面逆Ｌ字状の下ハゼ部３２が上方に延びて設けられ、その他端部（下流側端部）には、断面略コの字状の上ハゼ部３４が上方に延びて設けられている（図５参照）。また、上ベースプレート２２の両側端部にはそれぞれ、帯状のスカート部３６が外側斜め下方に延びて設けられている（図６参照）。このスカート部３６は、上ベースプレート２２の一端部から他端部を越えてその外側まで延びている。スカート部３６の先端部には、その裏面側に折り返された雨返し部３８が設けられている。
【００２２】
下ベースプレート２４は略波板状に構成されており、その中央部には、筒状部２８に対応して円形状の挿通用開口部４０が設けられている。下ベースプレート２４の下面には、所定方向（下ベースプレート２４の長さ方向）に延びる矩形状の複数の第１及び第２取付凹部４２，４４が形成され、またその上面には、複数の第１及び第２取付凹部４２，４４に対応する矩形状の複数の第１及び第２取付突部４６，４８が形成されている（図２及び図６参照）。また、下ベースプレート２４の両側端部にはそれぞれ、上方に延びる側壁部５０が設けられている。第１及び第２取付凹部４２，４４は交互に並んで配置されており、第１取付凹部４２は第１の配置間隔Ｄ１（例えば約５００ｍｍ）で配置され（図６参照）、第２取付凹部４４は第１の配置間隔Ｄ１とは異なる第２の配置間隔Ｄ２（例えば約３３３ｍｍ）で配置されている（図７参照）。なお、第１及び第２の配置間隔Ｄ１，Ｄ２はそれぞれ、代表的な２タイプの折板屋根６のハゼ継ぎ部５２（即ち、折板屋根材５４がハゼ継ぎされた部分）の配置間隔に対応したものである。また、第１及び第２取付凹部４２，４４はそれぞれ、折板屋根６のハゼ継ぎ部５２が収容できる程度の大きさに構成されている。更に、下ベースプレート２４の挿通用開口部４０の周縁部には、リング状の結露防止用弾性部材５６が取り付けられている（図５参照）。この結露防止用弾性部材５６は例えばゴム材などの弾性を有する材料から形成され、その外周部は挿通用開口部４０の周縁部に取り付けられ、その内周部は挿通用開口部４０の内側に幾分突出されている。
【００２３】
支持部材２６は横長の板状に構成され、その下端部には、下ベースプレート２４の複数の第１及び第２取付突部４６，４８に対応して、矩形状の複数の第１及び第２支持凹部５８，６０が設けられている。支持部材２６は、上ベースプレート２２と下ベースプレート２４との間に間隔を置いて配設され、その高さは、下ベースプレート２４の側壁部５０の高さとほぼ等しく構成されている。支持部材２６の第１及び第２支持凹部５８，６０はそれぞれ、下ベースプレート２４の第１及び第２取付突部４６，４８に嵌合され、また支持部材２６の上端部には上ベースプレート２２が支持されている。上ベースプレート２２、下ベースプレート２４及び支持部材２６は、例えば溶接や接着剤などによって相互に接続固定されている。上ベースプレート２２と下ベースプレート２４との間には収容空間６２が形成され、この収容空間６２には例えばウレタンなどの断熱材６４が配設されている（図５参照）。
【００２４】
導光手段８は円筒状の筒状部材６６から構成され、この筒状部材６６の内面には、例えばアルミニウムフィルムなどの反射材を貼着する、あるいはアルミニウムの蒸着などにより構成された反射面が形成されている。筒状部材６６の一端部には、径方向外方に延びるリング状部材７０がリベット７２を用いて取り付けられている。このリング状部材７０の外周部には、複数の空気流入用凹部７４が周方向に間隔を置いて設けられている。リング状部材７０が筒状部２８の開口部に支持されることにより、筒状部材６６は、取付部材１６の筒状部２８及び挿通用開口部４０を通して下方に延びるようになる。
【００２５】
ドーム部材１４は、その段差部１８がリング状部材７０に支持されるようにして筒状部２８に装着される。この装着状態においては、ドーム部材１４の開口部と筒状部２８との間の隙間に結露防止用テープ部材３０が介在されるとともに、上述した空気流入用凹部７４によって段差部１８とリング状部材７０との間に間隙が形成されるようになる。これにより、結露防止用テープ部材３０の複数の毛状体及び空気流入用凹部７４を通してドーム部材１４の内部と外部とが連通される。
【００２６】
また、ドーム部材１４の内周面には、凹状に湾曲された集光反射板７６が配設されている。集光反射板７６の凹面側は、太陽からの光を採光するための反射面として機能し、この反射面は、例えばアルミニウムフィルムなどの反射材を貼着する、あるいはアルミニウムの蒸着などにより形成されている。集光反射板７６の下端部には複数の取付片７８が設けられ、これら複数の取付片７８は、筒状部材６６の一端部とリング状部材７０との間の隙間に差し込まれる。なお、集光反射板７６は、その凹面側の幅方向中央部が南の方角を向くようにして配設することが好ましく、これにより特に日の出や日の入りなどのように太陽高度の低いときにおいて、太陽からの光を集光反射板７６の凹面側で受光して採光することができる。
【００２７】
照射手段１２は例えば略半球面状の拡散カバー部材８０から構成され、この拡散カバー部材８０は、例えば半透明のアクリルやプラスチックなどの合成樹脂やガラスなどから形成されている。この拡散カバー部材８０は、例えばアルミニウムテープなどを用いて筒状部材６６の他端部に装着される。
【００２８】
次に、主として図３〜図７を参照して、上述した採光装置２を例えば工場や倉庫、店舗などの建物４に施工する方法について説明する。なお、このような建物４には、複数の折板屋根材５４がハゼ継ぎされた折板屋根６が敷設されている。折板屋根材５４は、梁７９に支持されたタイトフレーム８１に敷設されている。本実施形態では、折板屋根６のハゼ継ぎ部５２は、第１の配置間隔Ｄ１（例えば約５００ｍｍ）で配置されている。
【００２９】
採光装置２を施工する際には、まず、例えばコアドリルやホールソーなどを用いて、折板屋根６の所定箇所に略円形状の貫通孔８２を穿設する（図３参照）。この貫通孔８２の直径は、筒状部材６６の直径よりも幾分大きく構成される。次いで、下ベースプレート２４の第１取付凹部４２にハゼ継ぎ部５２を収容保持して、取付部材１６の挿通用開口部４０と折板屋根６の貫通孔８２とが合わさるようにして、取付部材１６のベース部２０を折板屋根６の隣接する一対の山部８４に載置し、例えば釘やネジ、接着剤などを用いて相互に固定する。この敷設状態においては、ベース部２０の両側端部はそれぞれ、折板屋根６の山部８４から外側に幾分突出されるようになり、スカート部３６を内側に屈曲させてその先端部を折板屋根６の山部８４に近接させる（図６参照）。
【００３０】
その後、拡散カバー部材８０が装着された筒状部材６６を取付部材１６の筒状部２８及び挿通用開口部４０並びに折板屋根６の貫通孔８２を通して挿入し、リング状部材７０を筒状部２８の開口部に装着する。このように筒状部材６６を挿入すると、結露防止用弾性部材５６の内周部が下方に湾曲されて筒状部材６６の外周面を弾性的に押圧するようになり、これにより挿通用開口部４０の周縁部と筒状部材６６との間が結露防止用弾性部材５６によってシールされる（図５参照）。更にその後、段差部１８がリング状部材７０に載置固定されるようにしてドーム部材１４を筒状部２８の開口部に装着し、固定用ネジ８６を用いてドーム部材１４を筒状部２８に固定する（図４参照）。
【００３１】
本実施形態では、採光装置２は折板屋根６の最も水下側に配設され、その上ハゼ部３４は図５中の矢印で示す方向に屈曲される。また、採光装置２よりも水上側、即ち、折板屋根６の頂部に設けられた雨押さえ部８８と採光装置２との間には、複数のパネル部材９０が並んで敷設される（図４及び図５参照）。このパネル部材９０は、採光装置２の取付部材１６と同様に、上ベースプレート９２、下ベースプレート９４及び複数の支持部材９６から構成されているが、上ベースプレート９２には筒状部は設けられておらず、また下ベースプレート９４には挿通用開口部は設けられていない。上述と同様に、下ベースプレート９４の第１取付凹部９８にハゼ継ぎ部５２を収容保持して、パネル部材９０を採光装置２の水上側に敷設し、例えば釘やネジ、接着剤などを用いて相互に固定する。そして、採光装置２の下ハゼ部３２とパネル部材９０の上ハゼ部１００とをハゼ継ぎすることにより、採光装置２とパネル部材９０とを相互に連結する。また、パネル部材９０のスカート部１０２を内側に屈曲させてその先端部を折板屋根６の山部８４に近接させるとともに、このスカート部１０２の一端部（下流側端部）を採光装置２のスカート部３６の他端部（上流側端部）の外側に重ね合わせる。同様にして、雨押さえ部８８と採光装置２との間に複数のパネル部材９０を並べて敷設し、水上側のパネル部材９０の上ハゼ部１００と水下側のパネル部材９０の下ハゼ部１０４とをハゼ継ぎして両者を相互に連結する。なお、最も水上側のパネル部材９０の下ハゼ部１０４は、図５中の矢印で示す方向に屈曲させて、雨押さえ部８８の内部に差し込む。
【００３２】
上述のように施工された採光装置２によって、建物４の内部が次のようにして照明される。ドーム部材１４を通して導入された太陽からの光は、日の出や日の入りなど太陽高度の低いときにはドーム部材１４内に設けられた集光反射板７６の凹面側で反射されて筒状部材６６の内部へと導かれ、また日中など太陽高度の高いときには筒状部２８の開口部より筒状部材６６の内部へと導かれる。このように導かれた光は、筒状部材６６の内面を乱反射しながら所定方向（即ち、照射手段１２が配設された方向）へと導かれ、筒状部材６６の他端部から出射されて拡散カバー部材８０を通して建物４の内部に拡散照射される。
【００３３】
外気温が低い冬季などにおいては、外気が結露防止用テープ部材３０の複数の毛状体及び複数の空気流入用凹部７４を通してドーム部材１４の内部に流入することにより、ドーム部材１４の内部温度と外気温との温度差が小さくなり、ドーム部材１４の内部において結露が発生するのが防止される。また、挿通用開口部４０の周縁部と筒状部材６６との間が結露防止用弾性部材５６によってシールされているので、建物４の内部の暖かい空気が筒状部２８と筒状部材６６との間に流入されるのが防止され、筒状部材６６の内部やドーム部材１４の内部などにおいて結露が発生するのが防止される。
【００３４】
なお、図７に示すように、折板屋根６のハゼ継ぎ部５２が第２の配置間隔Ｄ２（例えば約３３３ｍｍ）で配置されているときには、下ベースプレート２４の第２取付凹部４４にハゼ継ぎ部５２を収容保持することにより、取付部材１６のベース部２０が折板屋根６の隣接する３つの山部８４に載置され、上述と同様にして取付部材１６を折板屋根６に取り付けることができる。かかる場合には、スカート部３６は、折板屋根６の山部８４の傾斜面に沿って外側斜め下方に延びるようになる。
【００３５】
上述のように、本実施形態の採光装置２では、ハゼ継ぎ部５２が第１の配置間隔Ｄ１で配置されているときには、第１取付凹部４２にハゼ継ぎ部５２が収容保持されることにより、取付部材１６が折板屋根６に取り付けられる。また、ハゼ継ぎ部５２が第２の配置間隔Ｄ２で配置されているときには、第２取付凹部４４にハゼ継ぎ部５２が収容保持されることにより、取付部材１６が折板屋根６に取り付けられる。従って、採光装置２を施工する建物４によって折板屋根６のサイズ、即ち、ハゼ継ぎ部５２の配置間隔が異なっていたとしても、取付部材１６の折板屋根６に対する位置合わせを容易に行うことができ、取付部材１６の挿通用開口部４０と折板屋根６の貫通孔８２とを容易に合わせることができる。それ故に、施工時間を短縮することができるとともに、採光装置２の施工を容易に行うことができる。
【００３６】
なお、本実施形態では、コアドリルやホールソーなどを用いて折板屋根６に貫通孔８２を穿設するようにしたが、例えば建物４の新築時に採光装置２を施工する場合などには、長さ方向に隣接する一対の折板屋根材５４の一方をその長さ方向に幾分スライドさせることにより、折板屋根６に矩形状の貫通孔８２を設けるようにしてもよい。
［第２の実施形態］
次に、図８を参照して、第２の実施形態の採光装置について説明する。図８は、本発明の第２の実施形態による採光装置を示す断面図である。なお、以下に示す各実施形態において、上記実施形態と実質上同一の構成要素には同一の符号を付し、その説明を省略する。
【００３７】
図８において、本実施形態の採光装置２Ａでは、上ベースプレート２２Ａの幅方向両端部における第１及び第２取付凹部４２，４４に対応する部位にはそれぞれ、上方に幾分突出した第１突出部１０６が設けられ、また上ベースプレート２２Ａの幅方向中央部における第２取付凹部４４に対応する部位には、上方に幾分突出した第２突出部１０８が設けられている。これら第１及び第２突出部１０６，１０８は例えばプレス加工などによって形成され、ベース部２０Ａの長さ方向（図８の紙面に対して垂直方向）に所定長さ延びている。ベース部２０Ａを折板屋根６Ａに取り付ける際には、例えば釘やネジなど（図示せず）を第１突出部１０６を通して折板屋根６Ａに打ち込むと、釘やネジなどが上ベースプレート２２Ａと下ベースプレート２４との間を貫通する距離が第１突出部１０６の突出量だけ長くなる。これにより、ベース部２０Ａの取り付け強度を高めることができる。なお、上述した実施形態のように、ハゼ継ぎ部５２が第２の配置間隔Ｄ２で配置されているときには、例えば釘やネジなどを第１及び第２突出部１０６，１０８を通して折板屋根６Ａに打ち込むようにしてもよい。
【００３８】
なお、折板屋根６Ａは、上下に間隔を置いて配設された上側折板屋根材１１０及び下側折板屋根材１１２と、これらの間に配設された例えばウレタンなどの断熱材１１４とから構成されている。このように折板屋根６Ａに断熱材１１４が設けられている場合には、ベース部２０Ａの収容空間内の断熱材を省略することができる。
【００３９】
また、ベース部２０Ａと上側折板屋根材１１０との間には、スカート部３６を固定するための固定部材１１６が介在されている。この固定部材１１６は、上側折板屋根材１１０の山部１１７の形状に沿って略への字状に延びるとともにベース部２０Ａの長さ方向に延びる薄板状に構成され、その一端部には略逆Ｖ字状に折り返された爪部１２０が設けられている。採光装置２Ａを施工する際には、まず、固定部材１１６の他端部を上側折板屋根材１１０と下ベースプレート２４との間に挟み込むとともに、下ベースプレート２４の第１取付凹部４２にハゼ継ぎ部５２を収容保持し、釘やネジなどを用いて取付部材１６Ａのベース部２０Ａを固定部材１１６とともに折板屋根６Ａに取り付ける。更にその後、スカート部３６を内側に屈曲させてその先端部を折板屋根６Ａの山部１１７に近接させるとともに、その雨返し部３８を固定部材１１６の爪部１２０に係止させる。これにより、スカート部３６が固定部材１１６を介して折板屋根６Ａに固定されるようになり、例えば強風による風圧でスカート部３６がばたつくのを防止することができ、取付部材１６Ａを折板屋根６Ａに安定して取り付けることができる。
［第３の実施形態］
次に、図９〜図１１を参照して、第３の実施形態の採光装置について説明する。図９は、本発明の第３の実施形態による採光装置を示す断面図であり、図１０は、図９のカバー部材を取付部材から取り外した状態を示す分解斜視図であり、図１１は、図９の採光装置を屋内側より見た状態を示す斜視図である。
【００４０】
本実施形態の採光装置２Ｂでは、下ベースプレート２４の下面における挿通用開口部４０に対応する部位には、筒状部材６６を覆うためのボックス状のカバー部材１２２が取り付けられている（図１０参照）。このカバー部材１２２の上面は矩形状に開口され、カバー部材１２２の上端には外側に延びる取付部１２３が設けられており、この取付部１２３が下ベースプレート２４の下面に例えばネジや釘などで取り付けられる。また、カバー部材１２２の下面には、筒状部材６６を挿通するための略円形状の挿通用開口部１２４が設けられている。この挿通用開口部１２４の周縁部には、リング状の結露防止用弾性部材５６Ｂが取り付けられている。結露防止用弾性部材５６Ｂの外周部は挿通用開口部１２４の周縁部に取り付けられ、その内周部は挿通用開口部１２４の内側に幾分突出されている。また、カバー部材１２２の内側面には、例えばウレタンなどの補助断熱材１２６が取り付けられており、この補助断熱材１２６は、カバー部材１２２と筒状部材６６との間に配設される。
【００４１】
本実施形態の採光装置２Ｂを施工する際には、まず、上側折板屋根材１１０、下側折板屋根材１１２及びこれらの間に配設された断熱材１１４をその長さ方向に幾分スライドさせることにより、折板屋根６Ａの所定箇所に矩形状の貫通孔８２Ｂを形成する（図１０参照）。次いで、カバー部材１２２をこの貫通孔８２Ｂに挿入し、上述した実施形態と同様にして取付部材１６Ｂのベース部２０Ｂを折板屋根６Ａに固定する。このとき、カバー部材１２２は、上側折板屋根材１１０、下側折板屋根材１１２及びこれらの間に配設された断熱材１１４を貫通して配設されるようになる（図１１参照）。その後、筒状部材６６を取付部材１６Ｂの筒状部２８、取付部材１６Ｂの挿通用開口部４０及びカバー部材１２２の挿通用開口部１２４を通して挿入すると、結露防止用弾性部材５６Ｂの内周部が下方に湾曲されて筒状部材６６の外周面を弾性的に押圧するようになり、これによりカバー部材１２２の挿通用開口部１２４の周縁部と筒状部材６６との間が結露防止用弾性部材５６Ｂによってシールされる（図９参照）。更にその後、ドーム部材１４を筒状部２８の開口部に装着する。
【００４２】
なお、上ベースプレート２２Ｂには上ハゼ部及び下ハゼ部は設けられておらず、上ベースプレート２２Ｂの下流側端部は、下ベースプレート２４の下流側端部よりも外側に延びている。パネル部材９０Ｂは採光装置２Ｂの取付部材１６Ｂとほぼ同様に構成されており、採光装置２Ｂの上ベースプレート２２Ｂの上流側端部には、その水上側に敷設されたパネル部材９０Ｂの上ベースプレート９２Ｂの下流側端部が重ね合わされる（図９参照）。
【００４３】
従って、本実施形態の採光装置２Ｂでは、カバー部材１２２は折板屋根６Ａに設けられた断熱材１１４を貫通して配設され、カバー部材１２２と筒状部材６６との間には補助断熱材１２６が配設されているので、上述のように折板屋根６Ａに貫通孔８２Ｂを穿設した場合であっても、貫通孔８２Ｂにおける折板屋根６Ａの断熱性能を高く保つことができる。また、カバー部材１２２の挿通用開口部１２４の周縁部と筒状部材６６との間が結露防止用弾性部材５６Ｂによってシールされているので、建物４の内部の暖かい空気がカバー部材１２２と筒状部材６６との間に流入されるのが防止され、筒状部材６６の内部やドーム部材１４の内部などにおいて結露が発生するのが防止される。
【００４４】
以上、本発明に従う採光装置の各種実施形態について説明したが、本発明はかかる実施形態に限定されるものではなく、本発明の範囲を逸脱することなく種々の変形乃至修正が可能である。
【００４５】
例えば、上記各実施形態では、ベース部２０（２０Ａ）（２０Ｂ）の下面に２種類の取付凹部（第１及び第２取付凹部４２，４４）を設けるように構成したが、３種類以上の取付凹部を設けるように構成してもよく、これにより、より多くのサイズの折板屋根６（６Ａ）に対応することができる。あるいは、１種類の取付凹部、例えば第１及び第２取付凹部４２，４４の一方のみを設けるように構成してもよい。
【００４６】
また例えば、上記各実施形態では、スカート部３６は外側斜め下方に延びるように構成したが、鉛直下方に延びるように構成してもよい。
【００４７】
また例えば、上記各実施形態では、採光装置２（２Ａ）（２Ｂ）を折板屋根６（６Ａ）の最も水下側に配設するようにしたが、採光装置２（２Ａ）（２Ｂ）の水下側にもパネル部材９０（９０Ｂ）を敷設するようにしてもよい。かかる場合には、採光装置２（２Ａ）の上ハゼ部３４とその水下側のパネル部材９０の下ハゼ部１０４とがハゼ継ぎされる、あるいは、採光装置２Ｂの上ベースプレート２２Ｂの下流側端部がその水下側のパネル部材９０Ｂの上ベースプレート９２Ｂとが重ね継ぎされるようになる。
【符号の説明】
【００４８】
２，２Ａ，２Ｂ  採光装置
４  建物
６，６Ａ  折板屋根
８  採光手段
１０  導光手段
１２  照射手段
１４  ドーム部材
１６，１６Ａ，１６Ｂ  取付部材
２０，２０Ａ，２０Ｂ  ベース部
２２，２２Ａ，２２Ｂ  上ベースプレート
２４  下ベースプレート
２６  支持部材
２８  筒状部
３６  スカート部
４０  挿通用開口部
４２  第１取付凹部
４４  第２取付凹部
５２  ハゼ継ぎ部
５６，５６Ｂ  結露防止用弾性部材
５８  第１支持凹部
６０  第２支持凹部
１０６  第１突出部
１０８  第２突出部
１１６  固定部材
１２２  カバー部材
１２６  補助断熱材
【図１】
2014222678.tif 000003
【図２】
2014222678.tif 000004
【図３】
2014222678.tif 000005
【図４】
2014222678.tif 000006
【図５】
2014222678.tif 000007
【図６】
2014222678.tif 000008
【図７】
2014222678.tif 000009
【図８】
2014222678.tif 000010
【図９】
2014222678.tif 000011
【図１０】
2014222678.tif 000012
【図１１】
2014222678.tif 000013